(57)【特許請求の範囲】
【請求項１】
回転駆動される筒状炉体と、この炉体の入口または出口に配置される固定部側材との間に装着されるロータリーキルンのエアシール装置であって、
内外二段に配置されたシール部により構成され、
外シール部は、炉体および固定側部材の一方に炉体の全周にわたって設けられた摺接受け材と、炉体および固定側部材の他方に付勢部材により前記摺接受け材に炉体の全周にわたって摺接される摺接シール材と、前記摺接シール材と炉体および固定側部材の他方との間に連結されて付勢部材を覆う伸縮自在なベローズとで構成され、
前記外シール部の炉体内側に配設された内シール部は、炉体および固定側部材の一方に炉体の全周にわたって設けられた受け部と、炉体および固定側部材の他方に全周にわたって設けられて前記受け部に接触される金属製ブラシとで構成された
ことを特徴とするロータリーキルンのエアシール装置。
【発明の詳細な説明】
【０００１】
【発明の属する技術分野】
本発明は、廃棄物を焼却処理、あるいは溶融処理するロータリーキルンにおいて、特に回転する炉体と、二次燃焼室や燃焼フッドなどの固定側部材との隙間をシールするエアシール装置に関する。
【０００２】
【従来の技術】
ロータリーキルンは、炉体出口の排ガス温度が一定になるように運転されており、たとえば炉体と固定部材である二次燃焼室の間には、燃焼ガスの漏出を防止するエアシール装置が設けられている。このエアシール装置は、炉体の周囲にリング状の受け板が設けられ、二次燃焼室の炉壁に取付けられたシール支持材から複数の押さえばねを介してシールリング材を受け板に押し付けて摺接させ、シール支持部材とシールリング材の間に熱伸びを吸収するベローズを取り付けて構成していた。
【０００３】
【発明が解決しようとする課題】
しかし、上記従来構成では、炉体出口から特に高温の排ガスやこれに同伴された高温の飛灰などがベローズに付着し、これが未燃飛灰であった場合には燃焼してベローズを焼損させ、排ガスが漏出することがあった。
【０００４】
本発明は上記問題点を解決して、高温の粉塵を含む排ガスの漏れを確実に防止できるロータリーキルンのエアシール装置を提供することを目的とする。
【０００５】
【課題を解決するための手段】
上記目的を達成するために請求項１記載の発明は、回転駆動される筒状炉体と、この炉体の入口または出口に配置される固定部側材との間に装着されるロータリーキルンのエアシール装置であって、内外二段に配置されたシール部により構成され、外シール部は、炉体および固定側部材の一方に炉体の全周にわたって設けられた摺接受け材と、炉体および固定側部材の他方に付勢部材により前記摺接受け材に炉体の全周にわたって摺接される摺接シール材と、前記摺接シール材と炉体および固定側部材の他方との間に連結されて付勢部材を覆う伸縮自在なベローズとで構成され、前記外シール部の炉体内側に配設された内シール部は、炉体および固定側部材の一方に炉体の全周にわたって設けられた受け部と、炉体および固定側部材の他方に全周にわたって設けられて前記受け部に接触される金属製ブラシとで構成されたものである。
【０００６】
上記構成によれば、炉体内から発生して排ガスに同伴された粉塵や飛灰が内シール部の金属製ブラシで遮断され、さらに外シール部で排ガスの漏出を防止されるので、高温や未燃の飛灰などが外シール部に及んでベローズを焼損するのを防止することができ、高温の粉塵や飛灰を多く含む排ガスであっても、炉体内と大気側とを効果的にシールすることができる。
【０００７】
【発明の実施の形態】
ここで、本発明に係るロータリー式溶融キルンの実施の形態を図１〜３に基づいて説明する。
【０００８】
この溶融キルンは、図３に示すように、床面１に設置された架台２上に円筒形の炉体１１が配置され、炉体１１は回転支持装置３を介して小さい傾斜角θで炉体出口１１ｂ側下方に傾斜する回転軸Ｏ（水平方向も可）を中心に回転自在に支持されている。そして、この炉体１１は、回転駆動装置４によりリングギヤとピニオンを具備した公知の回転機構５を介して一定速度で回転駆動される。さらに、この炉体入口１１ａ側の燃焼フッド６に設けられた廃棄物投入シュート７から供給された廃棄物が入口側の燃焼ゾーンＣで燃焼される。そして焼却残滓（飛灰）が溶融ゾーンＭに送られて加熱溶融され、生成された溶融スラグが炉体出口１１ｂからスラグ冷却装置８に排出され水砕スラグが生成される。また炉体１１の出口１１ｂから排出された燃焼排ガスは固定側部材である二次燃焼室１２に導入され、二次燃焼空気により未燃分が二次燃焼される。そして二次燃焼室１２から排出された排ガスは熱回収された後、無害化処理装置により有害物質が除去されて大気中に排出される。
【０００９】
図２に示すように、炉体１１の後端部には出口金物２１が取り付けられ、炉体１１の後部外周部に、空冷通路２３を形成する空冷外筒２２が外嵌固定されている。そして、二次燃焼室１２の前壁１２ａに形成された開口部１２ｂに前記空冷外筒２２が所定の隙間ｄをあけて遊嵌されており、複数の空冷ノズル１３により前方から空冷通路２３に供給される冷却空気により炉体１１の後部が冷却されている。
【００１０】
空冷外筒２２の前縁外周部にはフランジ板２４が設けられており、また二次燃焼室１２の開口部１２ｂ周囲で前壁１２ａからシール金物２５が全周にわたって突設されている。そしてフランジ板２４とシール金物２５との間に、本発明に係るエアシール装置３１が設けられている。
【００１１】
すなわち、エアシール装置３１は、図１に示すように、この外側と内側に二段に配置された内外シール部３２，３３により構成されている。
外シール部３２はガスや蒸気をシールするもので、フランジ板２４に全周にわたってリング状に設けられた摺接受け材３４と、シール金物２５に付勢部材３５を介してリング状に取付けられて摺接受け材３４に摺接される摺接シール材３６と、摺接シール材３６の炉体出口１１ｂ側で前記シール金物２５と摺接シール材３６との間に連結されて付勢部材３５を覆う伸縮自在な二重のベローズ３７とで構成されている。また前記付勢部材３５は、シール金物２５に周方向に一定間隔ごとに配置された支持ブロック３５ａに、スライドロッド３５ｂが炉体１１の回転軸心方向にスライド自在に支持され、このスライドロッド３５ｂの先端部に取付けられた摺接シール材３６と支持ブロック３５ａとの間でスライドロッド３５ｂに外嵌されたコイルばね３５ｃにより摺接シール材３６が摺接受け材３４側に付勢されている。
【００１２】
さらに外シール部３２の炉体１１内側に配設された内シール部３３は、炉体の外周面に全周にわたって設けられた受け部であるＬ形断面の受け材４１と、シール金物２５に取付け部材２５ａを介して全周にわたって取付けられ先端部が受け材４１に接触される金属製ブラシ４２とで構成されている。受け材４１は、金属製ブラシ４２が摺接される摺接板部４２ａと、この摺接部の炉体１１への連通側に立設された立板部４２ｂとで構成されている。
【００１３】
上記実施の形態によれば、炉体出口１１ｂから排出された排ガスが、二次燃焼室１２の開口部１２ｂから炉体１１との隙間ｄを介して外部に漏出しようとするが、まず内シール部３３の金属製ブラシ３３により、排ガスに同伴された粉塵や飛灰の漏出が阻止される。ついで、外シール部４２により、フランジ板２４とシール金物２５の隙間ｅの変動に追従して伸縮するベローズ３７と、摺接受け材３４に摺接する摺接シール材３６によりガスの漏れが防止される。したがって、排ガスに同伴された粉塵や飛灰がベローズ３７に堆積して焼損されることがなく、特に溶融部Ｍから発生する高温の粉塵や飛灰を多量に含む高温排ガスを確実にシールすることができる。
【００１４】
なお、上記実施の形態では、廃棄物の焼却と溶融処理とを連続して行う溶融キルンにより説明したが、焼却処理のみを行うロータリーキルンであってもよい。
また、摺接受け材３４を炉体１１側に、摺接シール材３６を二次燃焼室１２側に配設したが、逆に摺接受け材３４を二次燃焼室１２側に、摺接シール材３６を炉体１１側に設けることもできる。さらに受け材４１を炉体１１側に、金属製ブラシ４２を二次燃焼室１２側に配設したが、逆に受け材４１を二次燃焼室１２側に、金属製ブラシ４２を炉体１１側に設けることもできる。
【００１５】
さらに、このエアシール装置３１を炉体入口で炉体１１と燃焼フッド（固定部材）との間に配設することもできる。
【００１６】
【発明の効果】
以上に述べたごとく請求項１記載の発明によれば、炉体内から発生して排ガスに同伴された粉塵や飛灰を内シール部の金属製ブラシで遮断し、さらに外シール部で排ガスの漏出を防止するので、高温の粉塵や飛灰が外シール部に及んで外シール部を焼損、破損するのを防止することができ、高温の粉塵や飛灰をを含む排ガスであっても、炉体内と大気側とを効果的にシールすることができる。
【図面の簡単な説明】
【図１】本発明に係るロータリー式溶融キルンのエアシール装置の実施の形態を示す部分拡大図である。
【図２】同エアシール装置の全体断面図である。
【図３】同ロータリー式溶融キルンを説明する全体側面図である。
【符号の説明】
１１    炉体
１１ｂ  炉体出口
１２    二次燃焼室
１２ａ  前壁
２４    フランジ板
２５    シール金物
３１    エアシール装置
３２    外シール部
３３    内シール部
３４    摺接受け材
３５    付勢部材
３６    摺接シール材
３７    ベローズ
４１    受け材
４２    金属製ブラシ
【図１】
0003853129.tif 000002
【図２】
0003853129.tif 000003
【図３】
0003853129.tif 000004